(57)【要約】【課題】本発明は、基板上に配列される複数のレンズ付きＬＥＤにそれぞれ屈折角度を調整することで均一な照明を実現可能としたＬＥＤ照明装置を提供することを目的とするものである。【解決手段】複数のＬＥＤ光源３１が配置されたＬＥＤ基板３０と、このＬＥＤ基板３０が取り付けられたハウジングプレート２６と、ハウジングプレート２６にＬＥＤ基板３０が収納可能に取り付けられた照明カバーレンズ部１と、この照明カバーレンズ部１の一方の面のＬＥＤ光源３１の位置に突設形成された光入力素子２２と、照明カバーレンズ部１の他方の面に光入力素子２２と一体状に突設形成された偏向レンズエレメント５〜１８とを備える。【選択図】図６
2011222514.tif 000002
【特許請求の範囲】
【請求項１】
複数のＬＥＤ光源が配置されたＬＥＤ基板と、
前記ＬＥＤ基板が取り付けられたハウジングプレートと、
前記ハウジングプレートにＬＥＤ基板が収納可能に取り付けられた照明カバーレンズ部と、
前記照明カバーレンズ部の一方の面の前記ＬＥＤ光源の位置に突設形成された光入力素子と、
前記照明カバーレンズ部の他方の面に前記光入力素子と一体状に突設形成された偏向レンズエレメントとを備える
ＬＥＤ照明装置。
【請求項２】
前記光入力素子に、ＬＥＤ光源が収納可能な窪み部が形成された
請求項１に記載のＬＥＤ照明装置。
【請求項３】
前記光入力素子は、偏向レンズエレメント方向への偏向可能な曲率を有する球体形状とされた
請求項１または請求項２に記載のＬＥＤ照明装置。
【請求項４】
前記偏向レンズエレメントは、その出光面がそれぞれ傾斜状、フレネルレンズ、あるいはプリズム状に形成された
請求項１に記載のＬＥＤ照明装置。
【請求項５】
前記照明カバーレンズ部の内側に複数の支持棒部が突設されると共に、前記ＬＥＤ基板には前記支持棒部先端が挿入可能な位置決め孔が設けられた
請求項１、請求項２、請求項３または請求項４に記載のＬＥＤ照明装置。
【請求項６】
前記ＬＥＤ基板に、前記ＬＥＤ光源の他に少なくとも１個の予備ＬＥＤ光源が設けられた
請求項１、請求項２、請求項３、請求項４または請求項５に記載のＬＥＤ照明装置。
【請求項７】
前記照明カバーレンズ部とハウジングプレートとの間に弾性体よりなる密閉材が介在された
請求項１、請求項２、請求項３、請求項４、請求項５または請求項６に記載のＬＥＤ照明装置。
【請求項８】
前記ＬＥＤ基板、ハウジングプレート及び照明カバーレンズ部が、略三角形状、あるいは略台形形状とされた
請求項１、請求項２、請求項３、請求項４、請求項５、請求項６または請求項７に記載のＬＥＤ照明装置。
【発明の詳細な説明】
【技術分野】
【０００１】
本発明はＬＥＤ（Ｌｉｇｈｔ  Ｅｍｉｔｔｉｎｇ  Ｄｉｏｄｅ）照明装置に関する。詳しくはＬＥＤ基板上に配列されたＬＥＤ光源によるＬＥＤ照明装置に係るものである。
【背景技術】
【０００２】
従来、この種のＬＥＤ照明装置として、例えば特許文献１に記載されたものが知られている。
具体的には、特許文献１に記載されたＬＥＤ照明装置は、図１２に示すように、複数のＬＥＤ１０１が基板１０２上に配列されている。そして各ＬＥＤ１０１の上にはＬＥＤ１０１から出射された光を配向するための凸状レンズ１０３がそれぞれ設けられている。
【０００３】
このような構成のＬＥＤ照明装置では、基板上に配列された個々のＬＥＤに設けられる凸状レンズによってＬＥＤから照射される光は広角に配光される。
【０００４】
また、特許文献２に記載された屋外照明灯は、図１３に示すように、光源である１個のＬＥＤ光源１１０と１個の凸レンズ１１１を組み合わせた光学モジュールを１単位として、複数の光学モジュールを一体として構成されている。
【０００５】
更に、目標となる照射性能を満たすように、各光学モジュールの取付角度とその数とが調整されて構成されている。
【先行技術文献】
【特許文献】
【０００６】
【特許文献１】特開２０１０−９２７００号公報
【０００７】
【特許文献２】特開２００９−２４５６２１号公報
【発明の概要】
【発明が解決しようとする課題】
【０００８】
しかしながら、上述した特許文献１に記載されたＬＥＤ照明装置では、各ＬＥＤからの出射光がレンズユニットの各レンズから均等に屈折作用を受けるため、レンズユニットからは中央部の照度が最も高く、周辺部に向かうにしたがい徐々に照度が低下することとなる。そのため、照射範囲を広く取ろうとした場合には照射面に対して均一な照明ができない問題がある。
【０００９】
また、上述した特許文献２に記載された屋外照明灯では、均一な照度を得るために所定の曲率で曲線状に凸レンズが配置された構成を採用しているために、ＬＥＤ光源も凸レンズに応じて曲線上に配置されることとなる。そのため、凸レンズ及びＬＥＤ光源が直線上に配置することができないために照明灯の薄型化が実現できない問題がある。
【００１０】
本発明は、以上の点に鑑みて創案されたものであって、基板上に配列される複数のＬＥＤ光源から発光される光を集束し、かつ出射光をそれぞれに定められた方向へ偏向させることで均一な照明を実現可能としたＬＥＤ照明装置を提供することを目的とするものである。
【課題を解決するための手段】
【００１１】
上記の目的を達成するために、本発明に係るＬＥＤ照明装置は、複数のＬＥＤ光源が配置されたＬＥＤ基板と、前記ＬＥＤ基板が取り付けられたハウジングプレートと、前記ハウジングプレートにＬＥＤ基板が収納可能に取り付けられた照明カバーレンズ部と、前記照明カバーレンズ部の一方の面に前記ＬＥＤ光源の位置に突設形成された光入力素子と、前記照明カバーレンズ部の他方の面の前記光入力素子と一体状に突設形成された偏向レンズエレメントとを備える。
【００１２】
ここで、照明カバーレンズ部の一方の面にＬＥＤ光源の位置に突設形成された光入力素子と、照明カバーレンズ部の他方の面に光入力素子と一体状に突設形成された偏向レンズエレメントによって、ＬＥＤ光源から出射された光は光入力素子内で集束されてそれぞれの偏向レンズエレメントから定められた方向への出光が実現し、そのことによって均一な照明が可能となる。
【００１３】
また、光入力素子に、ＬＥＤ光源が収納可能な窪み部が形成された構成を採用する場合には、ＬＥＤ光源から出射された光を漏らすことなく光入力素子内に集束することができる。
【００１４】
また、光入力素子は、偏向レンズエレメント方向への偏向可能な曲率を有する球体形状とされた構成を採用した場合には、光入力素子内にて集束された光を確実に偏向レンズエレメントより出光することができる。
【００１５】
また、偏向レンズエレメントは、その出光面がそれぞれ傾斜状、フレネルレンズ、あるいはプリズム状に形成された構成を採用する場合には、それぞれの偏向レンズエレメントから定められた角度に出射される光によって照射面を均一に照射することができる。
【００１６】
また、照明カバーレンズ部の内側に複数の支持棒部が突設されると共に、前記ＬＥＤ基板には前記支持棒部先端が挿入可能な位置決め孔が設けられた構成を採用する場合には、ＬＥＤ基板に配置されるＬＥＤ光源に対して確実に光入力素子を位置させることができる。
【００１７】
また、ＬＥＤ基板に、ＬＥＤ光源の他に少なくとも１個の予備ＬＥＤ光源が設けられた構成を採用した場合には、ＬＥＤ光源の一つが故障したときに予備ＬＥＤ光源が作動することで照度を維持することができる。
【００１８】
また、照明カバーレンズ部とハウジングプレートとの間に弾性体よりなる密閉材が介在された構成を採用した場合には、照明カバーレンズ部内に水が侵入するのを防止することができる。
【００１９】
また、ＬＥＤ基板、ハウジングプレート及び照明カバーレンズ部が、略三角形状、あるいは略台形形状とされた構成を採用した場合には、これらのＬＥＤ基板を組み合わせられることで様々な形状のＬＥＤモジュールを実現することができる。
【発明の効果】
【００２０】
本発明のＬＥＤ照明装置によれば、基板上に配列される複数のＬＥＤ光源から発光される光を集束し、かつ出射光をそれぞれに定められた方向へ偏向させることで均一な照明を可能とするものである。
【図面の簡単な説明】
【００２１】
【図１】本発明を適用した照明カバーレンズ部の一例を説明するための立体模式図である。
【図２】本発明を適用したＬＥＤ照明装置の照明カバーレンズ部の組立ての一例を説明するための模式図である。
【図３】本発明を適用したＬＥＤ照明装置の照明カバーレンズ部の裏面側の一例を説明するための立体模式図である。
【図４】本発明を適用したＬＥＤ照明装置の照明カバーレンズ部の裏面側に取り付けるためのハウジングプレートの一例を説明するための立体模式図である。
【図５】本発明を適用したＬＥＤ照明装置のＬＥＤ基板の一例を説明するための模式図である。
【図６】本発明を適用したＬＥＤ照明装置の内部構造を説明するための断面模式図である。
【図７】本発明を適用したＬＥＤ照明装置の光入力素子内に入光する光の屈折作用を説明するための模式図である。
【図８】本発明を適用したＬＥＤ照明装置が取り付けられる照明器具の一例を説明するための側面模式図である。
【図９】本発明を適用したＬＥＤ照明装置のＬＥＤ基板の他の例を説明するための模式図である。
【図１０】本発明を適用したＬＥＤ照明装置のＬＥＤ基板を複数組み合わせた形態を説明するための模式図である。
【図１１】本発明を適用したＬＥＤ照明装置のＬＥＤ基板の他の形状を説明するための模式図である。
【図１２】従来のＬＥＤ照明装置の一例を説明するための模式図である。
【図１３】従来のＬＥＤ照明装置の他の例を説明するための模式図である。
【発明を実施するための形態】
【００２２】
以下、本発明の実施の形態を図面を参酌しながら説明し、本発明の理解に供する。
【００２３】
図１は本発明を適用した照明カバーレンズ部の一例を説明するための立体模式図である。また、図２（図２（イ）は本発明を適用したＬＥＤ照明装置の照明カバーレンズ部の光束偏向レンズ本体の一例を説明するための立体模式図を示し、図２（ロ）は本発明を適用したＬＥＤ照明装置の照明カバーレンズ部の取付フレームの一例を説明するための立体模式図を示す。）は本発明を適用したＬＥＤ照明装置の照明カバーレンズ部の組立ての一例を説明するための模式図である。
【００２４】
ここで示す照明カバーレンズ部１は、光束偏向レンズ本体２と、この光束偏向レンズ本体２が取り付けられる取り付けフレーム３とから構成されている。
【００２５】
この光束偏向レンズ本体２は、略三角形状に形成されたプレート４上にそれぞれに異なる光束偏向機能を有する偏向レンズエレメント５〜１８が突設形成されている。
【００２６】
また、取り付けフレーム３は、その内側に光束偏向レンズ本体２と同形状とされた開口部３６が形成される環状の取り付けフランジ部１９と、その取り付けフランジ部１９の内周縁上に沿って直角状に突設されたウエブ３７とから構成されている。
【００２７】
更に、ウエブ３７の周囲を取り巻くように一定幅を有する取り付けフランジ部１９には複数の挿通孔２０が設けられている。
【００２８】
また、ウエブ３７の上端の内側周縁部にはプレート４を嵌め合せるための嵌合段部２１が形成されている。
【００２９】
ここで、取り付けフレーム３の開口部３６を光束偏向レンズ本体２のプレート４で覆う如く、プレート４の周縁端をウエブ３７上端の嵌合段部２１に嵌め合わせた状態で接合することで一体とされた照明カバーレンズ部１が形成されている。
【００３０】
図３は本発明を適用したＬＥＤ照明装置の光束偏向レンズ本体の裏面側を説明するための立体模式図、図４は本発明を適用したＬＥＤ照明装置の照明カバーレンズ部の裏面側に取り付けるためのハウジングプレートの一例を説明するための立体模式図を示す。
【００３１】
ここで、図３に示すように、光束偏向レンズ本体２の一方の面（本実施例では裏面側）には、前記図１に示す偏向レンズエレメント５〜１８に一体的とされた円錐形状の１４個の光入力素子２２が突設形成されている。
【００３２】
この光入力素子２２は、その頂部にＬＥＤ素子（図示せず。）が挿入可能な窪み部２３が形成されている。この窪み部２３はその内面が半球体形面形状に形成されている。
【００３３】
また、それぞれの光入力素子２２の間には４個の支持棒部２４が配置されている。更に、取り付けフレーム３のウエブ３７の基端外周縁と取り付けフランジ部１９との間に沿って溝部２５が形成されている。
【００３４】
また、図４に示すように、ハウジングプレート２６は取り付けフレーム３と略同形状とされ、取り付けフレーム３の取り付けフランジ部１９に設けられる挿通孔２０と対応する位置に取り付け孔２７が穿孔形成されている。
【００３５】
従って、取り付けフレーム３にハウジングプレート２６を取り付ける場合には、取り付けフレーム３の溝部２５に、ゴム材等より形成される環状の弾性密閉材２８を嵌め入れると共に、その上端が溝部２５より突出した状態でハウジングプレート２６と重ね合わせる。
【００３６】
そして取り付けフレーム３の取り付けフランジ部１９に設けられた挿通孔２０と対応する取り付け孔２７内にボルト、ナット等の締結部材（図示せず。）で締結固定する。
【００３７】
図５は本発明を適用したＬＥＤ照明装置のＬＥＤ基板の一例を説明するための模式図、図６は本発明を適用したＬＥＤ照明装置の内部構造を説明するための断面模式図である。
【００３８】
ここで示すＬＥＤ基板３０は、ＰＣＢ（Ｐｒｉｎｔ  ｃｉｒｃｕｉｔ  Ｂｏａｒｄ）で形成される基板上に複数のＬＥＤ光源３１が配列されている。
【００３９】
このＬＥＤ光源３１は、照明カバーレンズ部１の裏面側に配列された光入力素子２２に対応する位置に配列されると共に、各ＬＥＤ素子３２にレンズ３３が一体的に設けられている。
【００４０】
この種のＬＥＤ光源は、アノードコネクション、カソードコネクションとＬＥＤクリスタル（発光部）が挿入されているカップ（図示せず。）から構成されている。
【００４１】
また、ＬＥＤクリスタルはボンディングワイヤによってアノードコネクションに接続されており、更にカソードコネクションとアノードコネクションとＬＥＤクリスタルを保護するためにプラスチックで形成されている。
【００４２】
このプラスチックはレンズを形成し、ＬＥＤクリスタルによって発光される光線はできるだけ広く放出される。
【００４３】
また、ＬＥＤ基板３０には電気コネクター３４が設けられ、この電気コネクター３４が全てのＬＥＤ光源３１に接続されて必要な電気を供給できるように構成されている。
【００４４】
更に、ＬＥＤ基板３０上にはＬＥＤ光源３１との間に照明カバーレンズ部１の裏面側に配置された支持棒部２４に対応する位置に、この支持棒部２４の先端が挿入可能とされる４個の位置決め孔３５が設けられている。
【００４５】
また、ハウジングプレート２６へＬＥＤ基板３０の底面をネジ等（図示せず。）で止めるための３個の止め孔３９が設けられている。
この場合に、ＬＥＤ光源３１の起動時にＬＥＤ基板３０に起こりえる熱を速やかに放熱するために、ハウジングプレート２６は放熱を著しく改善する放熱板、冷却リブ等に構成されるものであることが望ましい。
【００４６】
このような構成のＬＥＤ照明装置４０は、図６に示すようにハウジングプレート２６上の定位置にＬＥＤ基板３０が取り付けられている。
【００４７】
そして、ＬＥＤ基板３０の位置決め孔３５に照明カバーレンズ部１の裏面側に配置された支持棒部２４の先端を嵌め入れた状態でハウジングプレート２６上に照明カバーレンズ部１が取り付けられている。
【００４８】
ここで、ＬＥＤ基板３０上に配置された全てのＬＥＤ光源３１は照明カバーレンズ部１の裏面側に形成された光入力素子２２の窪み部２３内に入った状態とされている。
【００４９】
更に、取り付けフレーム３とハウジングプレート２６は、取り付けフレーム３の取り付けフランジ部１９に設けられた挿通孔２０と対応するハウジングプレート２６の取り付け孔２７内にボルト、ナット等の締結部材（図示せず。）で締結固定されている。
【００５０】
この場合に、取り付けフレーム３の溝部２５に、環状の弾性密閉材２８が嵌め入れられることでハウジングプレート２６と照明カバーレンズ部１との間が密閉状態とされている。
【００５１】
図７は本発明を適用したＬＥＤ照明装置の光入力素子内に入光する光の屈折作用を説明するための模式図である。
【００５２】
ここで、ＬＥＤ光源３１のＬＥＤ３２より発光される光は、レンズ３３を通して約１８０度範囲内において窪み部２３内に広く出射されている。
【００５３】
そしてレンズ３３を通して出射される光Ａは、窪み部２３から光入力素子２２内に入光して光入力素子２２の境界壁３８の範囲内で反射することで偏向レンズエレメントの方向へ各光Ａは平行状に偏向されている。
【００５４】
また、各偏向レンズエレメント５〜１８内に光Ａは均一に入射し、それぞれの偏向レンズエレメント５〜１８の定義された屈折率で偏向されて出光される。
【００５５】
図８は本発明を適用したＬＥＤ照明装置が取り付けられる照明器具の一例を説明するための側面模式図である。
【００５６】
ここで照明器具４１は、ＬＥＤ照明装置４０のハウジングプレート２６面に、その一端が接合されるスタンド部４２と、このスタンド部４２の他端に一体的に取り付けられる連結部４３とから構成されている。
【００５７】
また、スタンド部４２はハウジングプレート２６面と接合されることでＬＥＤ基板（図示せず。）からの熱を、ハウジングプレート２６からスタンド部４２への熱伝導により照明カバーレンズ部１内の温度上昇を抑えることを可能とする。
【００５８】
また、連結部４３は雄ネジ等（図示せず。）の連結手段で街路灯の支柱に取り付け可能に構成されている。
【００５９】
以上の構成よりなる本発明のＬＥＤ照明装置では、照明カバーレンズ部１に配置される偏向レンズエレメント５〜１８は、それぞれが一定の範囲内において異なる方向への偏向可能に構成されている。
【００６０】
従って、偏向レンズエレメント５〜１８より出射される均一の光束は、それぞれの矢印方向へ偏向されることで照射される範囲内において均一の輝度を得ることが可能となる。
【００６１】
また、図９（図９（イ）は本発明を適用したＬＥＤ照明装置のＬＥＤ基板の他の例を説明するための立体模式図を示し、図９（ロ）は本発明を適用したＬＥＤ照明装置のＬＥＤ基板の他の例による作用を説明するための模式図を示す。）は本発明を適用したＬＥＤ照明装置のＬＥＤ基板の他の例を説明するための模式図である。
【００６２】
ここで示すＬＥＤ基板３０Ａは、ＰＣＢ（Ｐｒｉｎｔ  ｃｉｒｃｕｉｔ  Ｂｏａｒｄ）で形成される基板上に複数のＬＥＤ光源３１が配列された構成とされている。
【００６３】
このＬＥＤ光源３１は、照明カバーレンズ部１の裏面側に配列された本発明を適用したＬＥＤ照明装置に対応する位置に配列されると共に、各ＬＥＤ素子３２にレンズ３３が一体的に設けられている。
【００６４】
この種のＬＥＤ光源は、アノードコネクション、カソードコネクションとＬＥＤクリスタル（発光部）が挿入されているカップ（図示せず。）から構成されている。
【００６５】
また、ＬＥＤクリスタルはボンディングワイヤによってアノードコネクションに接続されており、更にカソードコネクションとアノードコネクションとＬＥＤクリスタルを保護するためにプラスチックから形成されている。
【００６６】
このプラスチックはレンズを形成し、ＬＥＤクリスタルで発光される光線はできるだけ広く放出されている。
【００６７】
ここで、複数のＬＥＤ光源３１の予備光源としての予備ＬＥＤ光源３１ＡがＬＥＤ基板３０Ａ上に複数配置されている。
【００６８】
この予備ＬＥＤ光源３１Ａは、ＬＥＤ光源３１の一つが故障した場合に、それぞれの予備ＬＥＤ光源３１Ａが作動可能に構成されている。
【００６９】
また、ＬＥＤ基板３０Ａには電気コネクター３４が設けられ、この電気コネクター３４が全てのＬＥＤ光源３１及び補助ＬＥＤ光源３１Ａに接続されて必要な電気を供給できる構成とされている。
【００７０】
このような構成のＬＥＤ基板３０Ａは図９（ロ）に示すように、ハウジングプレート２６上の定位置に取り付けられている。
【００７１】
そして、ＬＥＤ基板３０Ａ上に配置された全てのＬＥＤ光源３１は照明カバーレンズ部１の裏面側に形成された光入力素子２２の窪み部２３内に入った状態とされている。
【００７２】
ここで、ＬＥＤ光源３１のＬＥＤ３２より発光される光はレンズ３３を通して約１８０度範囲内において窪み部２３内に広く出射されている。
【００７３】
このようにしてレンズ３３を通して出射される光Ａは、窪み部２３から光入力素子２２内に入光して光入力素子２２の境界壁３８の範囲内で反射して偏向レンズエレメントの方向へ各光Ａは平行状に偏向されている。
【００７４】
これにより、各偏向レンズエレメント５〜１８内に入射する光Ａは均一に入射することとなり、それぞれの偏向レンズエレメント５〜１８の定義された屈折で偏向されて出射される。
【００７５】
また、ＬＥＤ光源３１の一つが故障した場合には、予備ＬＥＤ３１Ａが作動して、この予備ＬＥＤ３１Ａから出射される光Ａは周囲の光入力素子２２に入射する。
【００７６】
そして光入力素子２２の境界壁３８の範囲内で反射して偏向レンズエレメントの方向へ放射されることで故障したＬＥＤ光源３１の光度を補充することが可能となる。
【００７７】
また、図１０（図１０（イ）は本発明を適用したＬＥＤ照明装置のＬＥＤ基板の組み合わせの一例を説明するための模式図を示し、図１０（ロ）は本発明を適用したＬＥＤ照明装置のＬＥＤ基板の組み合わせの他の例を説明するための模式図を示す。）は本発明を適用したＬＥＤ照明装置のＬＥＤ基板を複数組み合わせた形態を説明するための模式図である。
【００７８】
ここで、図１０（イ）に示すように、略三角形状に形成されるＬＥＤ基板３０を合計６つ互いの二等辺が接するように組み合わせられている。これにより全体として多角形状によるＬＥＤ基板３０の組み合わせとなり、高い輝度を有するＬＥＤモジュールを実現することが可能となる。
【００７９】
また、図１０（ロ）に示すように、略三角形状に形成されるＬＥＤ基板３０を互いの向きが逆となるようにして二等辺が接するように組み合わせられることで細長いラインのＬＥＤモジュールを実現することが可能となる。
【００８０】
図１１は本発明を適用したＬＥＤ照明装置のＬＥＤ基板の他の形状を説明するための模式図である。
【００８１】
ここで示すＬＥＤ基板３０Ｂは、台形状に形成されたＰＣＢ（Ｐｒｉｎｔ  ｃｉｒｃｕｉｔ  Ｂｏａｒｄ）で形成される基板上に複数のＬＥＤ光源３１が配列されている。
【００８２】
このＬＥＤ基板３０Ｂを２個互いの底辺が接するように組み合わせることで六角形状の高い輝度を有するＬＥＤモジュールを実現することが可能となる。
【００８３】
また、ＬＥＤ基板３０Ｂを前記図１０（イ）で詳述したように６個環状に組み合わせる、あるいは前記図１０（ロ）で詳述したように細長いライン状に組み合わせることが可能となる。
【００８４】
なお、本実施例では光入力素子に、ＬＥＤ光源が収納可能な窪み部を形成した場合について詳述するものであるが、必ずしも窪み部を形成する必要性はない。
【００８５】
例えば、ＬＥＤ光源を光入力素子に接するように配置する構造であっても構わないが、ＬＥＤ光源からの出射光を漏れなく集束するという点において窪み部を形成することが好ましい。
【００８６】
また、本実施例では光入力素子は、偏向レンズエレメント方向への偏向可能な曲率を有する球体形状とした場合について詳述するものであるが、必ずしも球体形状とする必要性はない。
【００８７】
例えば、ＬＥＤ光源から出射される光を集束できる形状であっても構わないが、全ての光を偏向レンズエレメント方向へ偏向させることで高い照度を得ることができるという点において偏向レンズエレメント方向への偏向可能な曲率を有する球体形状とすることが好ましい。
【００８８】
また、本実施例では、偏向レンズエレメントは、その出光面がそれぞれ傾斜状、フレネルレンズ、あるいはプリズム状に形成された構成とする場合について詳述するものであるが、必ずしもそのような形態に形成する必要性はない。
【００８９】
例えば、照射面を均一に照射できるようにそれぞれの偏向レンズエレメントに偏向機能を持たせるという点においてその出光面がそれぞれ傾斜状、フレネルレンズ、あるいはプリズム状に形成されることが好ましい。
【００９０】
また、本実施例では、照明カバーレンズ部の内側に複数の支持棒部が突設されると共に、ＬＥＤ基板には支持棒部先端が挿入可能とされた位置決め孔が設けられた場合について詳述するものであるが、必ずしもそのような構成とする必要性はない。
【００９１】
例えば、光入力素子とＬＥＤ光源とを容易に位置決めすることができればいかなる機構であっても構わないが、容易、かつ確実に位置決めができるという点においてＬＥＤ基板に支持棒部先端が挿入可能とした位置決め孔を設けることが好ましい。
【００９２】
また、本実施例では、照明カバーレンズ部とハウジングプレートとの間に弾性体よりなる密封材が介在された場合について詳述するものであるが、必ずしもそのような構成とする必要性なはい。
【００９３】
例えば、照明カバーレンズ部とハウジングプレートとを直接に接合する構成であっても構わないが、照明カバーレンズ部の着脱ができると共に、水に侵入を防止することができるという点において弾性体よりなる密封材を介在させることが好ましい。
【００９４】
また、本実施例では、ＬＥＤ基板、ハウジングプレート及び照明カバーレンズ部が、略三角形状、あるいは略台形形状とされた場合について詳述するものであるが、かならずしも略三角形状、あるいは略台形形状とする必要性はない。
【００９５】
例えば、円形状や四角形状などであっても構わないが、それぞれを組み合わせることで状況に応じた形態のＬＥＤモジュールを実現することができるという点において略三角形状、あるいは略台形形状とすることが好ましい。
【符号の説明】
【００９６】
１        照明カバーレンズ部
２        光束偏向レンズ本体
３        取り付けフレーム
４        プレート
５〜１８  偏向レンズエレメント
１９      取り付けフランジ部
２０      挿通孔
２１      嵌合段部
２２      光入力素子
２３      窪み部
２４      支持棒部
２５      溝部
２６      ハウジングプレート
２７      取り付け孔
２８      弾性密閉材
３０、３０Ａ、３０Ｂ  ＬＥＤ基板
３１      ＬＥＤ光源
３１Ａ    予備ＬＥＤ光源
３２      ＬＥＤ素子
３３      レンズ
３４      電気コネクター
３５      位置決め孔
３６      開口部
３７      ウエブ
３８      境界壁
３９      止め孔
４０      ＬＥＤ装置
４１      照明器具
４２      スタンド部
４３      連結部
【図１】
2011222514.tif 000003
【図２】
2011222514.tif 000004
【図３】
2011222514.tif 000005
【図４】
2011222514.tif 000006
【図５】
2011222514.tif 000007
【図６】
2011222514.tif 000008
【図７】
2011222514.tif 000009
【図８】
2011222514.tif 000010
【図９】
2011222514.tif 000011
【図１０】
2011222514.tif 000012
【図１１】
2011222514.tif 000013
【図１２】
2011222514.tif 000014
【図１３】
2011222514.tif 000015